(57)【要約】 【課題】安定的に保持して効果的な運指練習を行うことのできる弦楽器用の運指練習具を提供する。【解決手段】左手の親指と４本の指との間に挾持した状態で縦長にして使用される弦楽器等の運指練習具である。親指当接部１１を有した棒状の支持部１２と、４本の指の指先を当接させる運指面１９を有した棒状の運指部２０とを、連結部２１で連結してなる。運指面１９には、その長さ方向に、指先で押えられる運指凹部２２が、弦楽器の押弦の被運指部に合わせて並設されている。棒状の運指部２０の下端に、右手で把持される把持部２６が連設されている。【選択図】図１
2006343551.tif 000002
【特許請求の範囲】
【請求項１】
一方の手の親指と４本の指との間に挾持した状態で使用される楽器の運指練習具であって、親指当接部を有した支持部と、前記４本の指の指先を当接させるための運指面を有した運指部とからなる本体を具え、該運指面にはその長さ方向に、運指表示部が、楽器の被運指部に合わせて所要間隔で並設されており、又、前記本体の下端に、下方に延長して他方の手で把持される把持部が設けられていることを特徴とする楽器の運指練習具。
【請求項２】
一方の手の親指と４本の指との間に挾持した状態で使用される楽器の運指練習具であって、親指当接部を有した支持部と、前記４本の指の指先を当接させるための運指面を有した運指部とからなる本体を具え、該運指面にはその長さ方向に、運指表示部が、楽器の被運指部に合わせて所要間隔で並設されており、又、前記運指部の下端に、前記支持部の下端の下方に延長して他方の手で把持される把持部が設けられていることを特徴とする楽器の運指練習具。
【請求項３】
一方の手の親指と４本の指との間に挾持した状態で縦長にして使用される楽器の運指練習具であって、親指当接部を有した棒状の支持部と、前記４本の指の指先を当接させるための運指面を有した棒状の運指部とからなる本体を具え、該運指面にはその長さ方向に、凹部等としての運指表示部が、楽器の被運指部に合わせて所要間隔で並設されており、又、前記棒状の運指部の下端に、前記棒状の支持部の下端の下方に延長して他方の手で把持される把持部が設けられていることを特徴とする楽器の運指練習具。
【請求項４】
一方の手の親指と４本の指との間に挾持した状態で縦長にして使用される楽器の運指練習具であって、横断面で円弧状突面を呈する親指当接部を有した棒状の支持部と、横断面で円弧状突面を呈し且つ前記４本の指の指先を当接させるための運指面を有した棒状の運指部とからなる本体を具え、該運指面にはその長さ方向に、凹部等としての運指表示部が、楽器の被運指部に合わせて所要間隔で並設されており、又、前記棒状の運指部の下端に、前記棒状の支持部の下端の下方に延長して他方の手で把持される把持部が設けられていることを特徴とする楽器の運指練習具。
【請求項５】
一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とは連結部で連結されており、該丸棒状の支持部の外面が親指当接部とされると共に、該丸棒状の運指部の外面が前記４本の指の指先を当接させるための運指面とされ、該運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とする楽器の運指練習具。
【請求項６】
一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とはその対向内面相互が軸状の連結部で連結されており、該軸状の連結部の一端側が前記丸棒状の支持部に固定されると共に、その他端側は、前記丸棒状の運指部の周方向に所要間隔を置いて複数設けられた固定孔部に着脱可能に挿入固定される挿入軸部とされており、又、該丸棒状の支持部の外面が親指当接部とされると共に、該丸棒状の運指部の外面が前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とする楽器の運指練習具。
【請求項７】
一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とはその対向内面相互が軸状の連結部で連結されており、該軸状の連結部の一端側が前記丸棒状の支持部に固定されると共に、その他端側は、前記丸棒状の運指部の周方向に９０度又は１８０度の角度ピッチで設けられた固定孔部に着脱可能に挿入固定される挿入軸部とされており、又、該丸棒状の支持部の外面が親指当接部とされると共に、該丸棒状の運指部の外面が、前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とする楽器の運指練習具。
【請求項８】
請求項６又は７記載の楽器の運指練習具において、前記運指表示部が凹部として形成される場合、前記固定孔部が前記運指面に設けられており、且つ該固定孔部と前記凹部とが兼用されていることを特徴とする楽器の運指練習具。
【請求項９】
前記運指面の両端側において、前記支持部と前記運指部とを向き合う方向に付勢する弾性部材が装着されていることを特徴とする請求項６又は７記載の楽器の運指練習具。
【請求項１０】
一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状の運指部とからなる本体を具え、該丸棒状の支持部と該丸棒状の運指部とは該丸棒状の支持部の両端側で連結部により連結されており、該連結部は、前記丸棒状の支持部に固定され、且つ、前記丸棒状の運指部をその軸線回りに回転可能に保持する連結部材を有し、該回転はロック具により、９０度又は１８０度の角度ピッチ毎にロックされるようになされており、又、該ロック具によりロックされた前記丸棒状の運指部の外面が、前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とする楽器の運指練習具。
【請求項１１】
請求項２、３、４、５、６、７又は１０記載の楽器の運指練習具において、前記運指部の下端に、前記支持部の下端の下方に延長して他方の手で把持される前記把持部を設けることに代え、前記支持部の下端に、前記運指部の下端の下方に延長して他方の手で把持される把持部を設けることを特徴とする楽器の運指練習具。
【請求項１２】
前記運指表示部は、前記運指面の長さ方向に配設された発光ダイオード等の発光部を以って構成し、楽器の被運指部に合わせて所要の発光部を発光させることを特徴とする請求項１〜１１のいずれかに記載の楽器の運指練習具。
【請求項１３】
前記運指面に上から下に向けて前記運指表示部を配設して構成された運指表示部列は、少なくとも、隣り合う運指表示部間の間隔部の配置が弦楽器の半音の配置に相当する半音列を含むことを特徴とする請求項１〜１２のいずれかに記載の楽器の運指練習具。
【請求項１４】
前記運指部が４つの運指面を有する場合、各運指面に上から下に向けて前記運指表示部を配設して構成された４列の運指表示部列は、隣り合う運指表示部間の間隔部の配置が弦楽器の半音の配置に相当する半音列と、隣り合う運指表示部間の間隔部の配置が順に、弦楽器の全音と半音と全音に相当する全音・半音・全音列と、隣り合う運指表示部間の間隔部の配置が順に、弦楽器の半音と全音と全音に相当する半音・全音・全音列と、隣り合う運指表示部間の間隔の配置が順に、弦楽器の全音と全音と半音に相当する全音・全音・半音列であることを特徴とする請求項６、７又は１０記載の楽器の運指練習具。
【発明の詳細な説明】
【技術分野】
【０００１】
本発明は、ビオラやバイオリン等の弦楽器の運指を練習するために好適な楽器の運指練習具に関するものである。
【背景技術】
【０００２】
弦楽器の演奏は、楽譜の運指指示に従って弦の所定部位（被運指部）を正確且つ滑らかに然も機敏に運指することが要求される。そのためには先ず第１に、各指が演奏に適した正しい形を形成できるように指の各部関節を柔らかくすると共に、指の筋肉の強化及び持久力の向上を図る必要がある。
【０００３】
このような運指の練習具として、実開昭５２−２１５５１号公報が開示する弦楽器用運指訓練器が提案されている。該訓練器は、直方体棒状の横木の表面に、運指用凹所を楽器の実際のポジションに合わせて設けた構成を有していた。かかる訓練器によるときは、個々の指を所定の形にして運指する練習が可能であることから、一応の練習効果があった。しかしながら該訓練器は、前記横木が直方体棒状に形成されていたために、運指練習を行う際に手で安定的に保持しにくく、効果的な運指練習を行い難い問題があった。又、運指用凹所が横木の平坦な表面に設けられていたために、指先が運指用凹所を押えた際に該指先が運指用凹所の周辺にも当接してしまい、実際の弦楽器におけるような、弦を点接触で押さえた感触を得にくく、この面でも改善の余地があった。
【特許文献１】実開昭５２−２１５５１号公報（１−４頁、図１）
【発明の開示】
【発明が解決しようとする課題】
【０００４】
本発明は、前記従来の問題点等に鑑みて開発されたものであり、安定的に保持して効果的な運指練習を行うことのできる楽器の運指練習具の提供を課題とするものである。更に進んで、実際の弦楽器における押弦状態等に近い点接触の押さえ感触が得られて運指の練習効果を一層向上させることのできる楽器の運指練習具の提供を課題とするものである。
【課題を解決するための手段】
【０００５】
前記課題を解決するため、本発明は以下の手段を採用する。
即ち本発明に係る楽器の運指練習具は、一方の手の親指と４本の指との間に挾持した状態で使用される楽器の運指練習具であって、親指当接部を有した支持部と、前記４本の指の指先を当接させるための運指面を有した運指部とからなる本体を具え、該運指面にはその長さ方向に、運指表示部が、楽器の被運指部に合わせて所要間隔で並設されており、又、前記本体の下端に、下方に延長して他方の手で把持される把持部が設けられていることを特徴とするものである。
【０００６】
本発明に係る楽器の運指練習具のより好ましい態様の一つは、一方の手の親指と４本の指との間に挾持した状態で使用される楽器の運指練習具であって、親指当接部を有した支持部と、前記４本の指の指先を当接させるための運指面を有した運指部とからなる本体を具え、該運指面にはその長さ方向に、運指表示部が、楽器の被運指部に合わせて所要間隔で並設されており、又、前記運指部の下端に、前記支持部の下端の下方に延長して他方の手で把持される把持部が設けられていることを特徴とするものである。
【０００７】
又、本発明に係る楽器の運指練習具のより好ましい態様の他は、一方の手の親指と４本の指との間に挾持した状態で縦長にして使用される楽器の運指練習具であって、親指当接部を有した棒状の支持部と、前記４本の指の指先を当接させるための運指面を有した棒状の運指部とからなる本体を具え、該運指面にはその長さ方向に、凹部等としての運指表示部が、楽器の被運指部に合わせて所要間隔で並設されており、又、前記棒状の運指部の下端に、前記棒状の支持部の下端の下方に延長して他方の手で把持される把持部が設けられていることを特徴とするものである。
【０００８】
又、本発明に係る楽器の運指練習具のより好ましい態様のその他は、一方の手の親指と４本の指との間に挾持した状態で縦長にして使用される楽器の運指練習具であって、横断面で円弧状突面を呈する親指当接部を有した棒状の支持部と、横断面で円弧状突面を呈し且つ前記４本の指の指先を当接させるための運指面を有した棒状の運指部とからなる本体を具え、該運指面にはその長さ方向に、凹部等としての運指表示部が、楽器の被運指部に合わせて所要間隔で並設されており、又、前記棒状の運指部の下端に、前記棒状の支持部の下端の下方に延長して他方の手で把持される把持部が設けられていることを特徴とするものである。
【０００９】
又、本発明に係る楽器の運指練習具のより好ましい態様のその他は、一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とは連結部で連結されており、該丸棒状の支持部の外面が親指当接部とされると共に、該丸棒状の運指部の外面が前記４本の指の指先を当接させるための運指面とされ、該運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とするものである。
【００１０】
又、本発明に係る楽器の運指練習具のより好ましい態様のその他は、一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とはその対向内面相互が軸状の連結部で連結されている。そして、該軸状の連結部の一端側が前記丸棒状の支持部に固定されると共に、その他端側は、前記丸棒状の運指部の周方向に所要間隔を置いて複数設けられた固定孔部に着脱可能に挿入固定される挿入軸部とされている。又、該丸棒状の支持部の外面が親指当接部とされると共に、該丸棒状の運指部の外面が前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とするものである。
【００１１】
又、本発明に係る楽器の運指練習具のより好ましい態様のその他は、一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とはその対向内面相互が軸状の連結部で連結されている。そして、該軸状の連結部の一端側が前記丸棒状の支持部に固定されると共に、その他端側は、前記丸棒状の運指部の周方向に９０度又は１８０度の角度ピッチで設けられた固定孔部に着脱可能に挿入固定される挿入軸部とされている。又、該丸棒状の支持部の外面が親指当接部とされると共に、該丸棒状の運指部の外面が、前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とするものである。
【００１２】
丸棒状の支持部と丸棒状の運指部とを軸状の連結部で連結する場合、前記固定孔部が前記運指面に設けられるときは、該固定孔部と前記凹部とを兼用するのがよい。
【００１３】
丸棒状の支持部と丸棒状の運指部とを軸状の連結部で連結する場合、前記運指面の両端側において、前記支持部と前記運指部とを向き合う方向に付勢する環状弾性部材を装着するのがよい。
【００１４】
又、本発明に係る楽器の運指練習具のより好ましい態様のその他は、一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状の運指部とからなる本体を具え、該丸棒状の支持部と該丸棒状の運指部とは該丸棒状の支持部の両端側で連結部により連結されている。そして、該連結部は、前記丸棒状の支持部に固定され、且つ、前記丸棒状の運指部をその軸線回りに回転可能に保持する連結部材を有し、該回転はロック具により、９０度又は１８０度の角度ピッチ毎にロックされるようになされている。又、該ロック具によりロックされた前記丸棒状の運指部の外面が、前記４本の指の指先を当接させるための運指面とされ、夫々の運指面にはその長さ方向に、凹部等としての運指表示部が、楽器の被運指部に合わせて所要間隔で並設されている。又、前記丸棒状の運指部の下端に、前記丸棒状の支持部の下端の下方に延長して他方の手で把持される把持部が設けられていることを特徴とするものである。
【００１５】
前記各楽器の運指練習具において、前記運指部の下端に、前記支持部の下端の下方に延長して他方の手で把持される前記把持部を設けることに代え、前記支持部の下端に、前記運指部の下端の下方に延長して他方の手で把持される把持部を設けることもある。
【００１６】
前記各楽器の運指練習具において、前記運指表示部は、前記運指面の長さ方向に配設された発光ダイオード等の発光部を以って構成し、楽器の被運指部に合わせて所要の発光部を発光させるように構成することもできる。
【００１７】
前記運指面に上から下に向けて前記運指表示部を配設して構成された運指表示部列は、少なくとも、隣り合う運指表示部間の間隔部の配置が弦楽器の半音の配置に相当する半音列を含むように構成するのがよい。
【００１８】
又、前記運指部が４つの運指面を有する場合、各運指面に上から下に向けて前記運指表示部を配設して構成された４列の運指表示部列は、隣り合う運指表示部間の間隔部の配置が弦楽器の半音の配置に相当する半音列と、隣り合う運指表示部間の間隔部の配置が順に、弦楽器の全音と半音と全音に相当する全音・半音・全音列と、隣り合う運指表示部間の間隔部の配置が順に、弦楽器の半音と全音と全音に相当する半音・全音・全音列と、隣り合う運指表示部間の間隔の配置が順に、弦楽器の全音と全音と半音に相当する半音・全音・半音列として構成するのがよい。
【発明の効果】
【００１９】
本発明は、以下の如き優れた効果を奏する。
(1) 本発明に係る運指練習具は、親指当接部を有した支持部と、凹部等の運指表示部が所要に並設されてなる運指面を有した運指部とからなる本体の下端（該運指部の下端や該支持部の下端等）に把持部を設けた構成を採用するため、前記親指当接部を一方の手の親指（親指の側面や親指の付け根部分）に当接させ且つ前記把持部を他方の手で把持することによって、弦楽器等の楽器の所要の運指練習を安定した状態で効果的に行うことができる。そして、指間を所要に拡げる運指練習を通して、各指を、弦楽器等の演奏に適した正しい形に形成できることとなる。又、かかる運指練習の繰り返しによって、各々の指の各部関節を柔らかくすることができると共に指の筋肉の強化や持久力の向上が図られる。かかることから、実際の弦楽器等の演奏に際し、楽譜の運指指示に従って弦等の所定部位（被運指部）を正確且つ滑らかに運指可能となる。
【００２０】
(2) 運指部の下端に把持部を連設した場合は、運指練習の際に荷重が加わる運指部をしっかりと把持した状態で運指練習を行い得ることから、全体として非常に効果的な運指練習が可能となる。又、運指部の外面に現れる運指面を該運指部の軸線回りの回転操作によって変更する際は、その回転操作を、該把持部を把持して容易且つ確実に行うことができる。
【００２１】
(3) 又、前記運指面を横断面円弧状突面に形成した場合は、例えば、弦楽器における点接触の押弦状態に近い点接触の感触で指先を凹部等の運指表示部に当接させることができるため、楽器を演奏する際の運指状態に近い、より効果的な運指練習を行い得ることとなる。
【００２２】
(4) 又、前記親指当接部を横断面円弧状突面に形成することにより、親指に対する当たりをソフトにして違和感なく運指練習を行い得ることとなる。
【００２３】
(5) 前記支持部及び前記運指部を共に丸棒状に形成すると共に、該丸棒状の運指部の下端に把持部を設けることにより、親指に対する当たりをソフトにして、前記点接触の運指練習を行うことができる。しかも、運指の際に荷重が加わる運指部をしっかりと把持した状態で運指練習を行い得ることから、全体として非常に効果的な運指練習が可能となる。
【００２４】
(6) 支持部と運指部の対向内面相互を軸状の連結部で連結することとし、その一端側を棒状の支持部に固定すると共にその他端側を、前記棒状の運指部の周方向に所要間隔を置いて複数設けられた（例えば周方向に９０度又は１８０度の角度ピッチ等で設けられた）固定孔部に着脱可能に挿入固定される挿入軸部とすることにより、運指部を周方向で所要に回転させてこれを棒状の支持部に連結できることから、棒状の運指部の外面に現れた運指面に、異なる運指表示部列を形成できる。これにより、同一の運指練習具により複数の運指パターンを練習できることとなる。
【００２５】
(7) 前記支持部と前記運指部とを連結する連結部が、該運指部をその軸線回りに回転可能に保持すると共に、該回転を、ロック具により９０度又は１８０度の角度ピッチ毎にロックされるように構成したときは、ワンタッチ操作で棒状の運指部の所要の回転状態が得られるため、操作性に優れた運指練習具が提供されることとなる。
【００２６】
(8) 前記運指表示部を、前記運指面の長さ方向に配設された発光ダイオード等の発光部を以って構成し、所要の発光部を発光させることによって、運指練習で押えるべき部分を光で表示するように構成するときは、一台の運指練習具で、様々な弦楽器等の楽器の運指練習に応じ得る利点がある。
【００２７】
(9) 弦楽器の運指練習は、半音列によって、半音の運指練習を含む各種の運指パターンを練習できるが、運指面を運指部の周方向に４つ設け、該４つの運指面に、半音列と、全音・半音・全音列と、半音・全音・全音列と、全音・全音・半音列を設ける場合は、各指で押えるべき運指凹部等の位置が明確であるために、半音列で練習可能な運指パターンの内の特別な運指パターンを無理なく確実に練習できることとなり、練習効果を一層向上させることができる。
【実施例１】
【００２８】
図１〜３において本発明に係る楽器の運指練習具（以下運指練習具という）１は、弦楽器用の運指練習具として応用されており、一方の手（本実施例においては左手）２の親指３と４本の指（人指し指５，中指６，薬指７，小指９）との間に挾持した状態で縦長にして使用されるもので、左手２の親指３に対する親指当接部１１を有した棒状の支持部（例えば、肌触りのよい木製からなる）１２と、前記４本の指５，６，７，９の指先１３，１５，１６，１７を当接させるための運指面１９を有した棒状の運指部（例えば、肌触りのよい木製からなる）２０とからなる本体１８を具え、該棒状の支持部１２と棒状の運指部２０とは連結部２１で連結されている。そして該運指面１９にはその長さ方向に、窪み状の凹部（以下運指凹部２２という）としての運指表示部２３が、弦楽器における押弦のポジション（即ち、被運指部）に合わせて、所要間隔で並設されている。又、前記棒状の支持部１２と前記棒状の運指部２０とからなる本体２４の下端に、下方に延長して他方の手（右手）２５で把持される把持部２６が設けられている。本実施例においては、前記棒状の運指部２０の下端に、前記棒状の支持部１２の下端２４の下方に延長して右手２５で把持される把持部２６が該棒状の運指部２０と一連に連設されている。
【００２９】
そして、前記棒状の支持部１２は直径が１５ｍｍ程度の丸棒状に形成されると共に、前記棒状の運指部２０は直径が１５ｍｍ程度の丸棒状に形成されている。該棒状（丸棒状）の支持部１２と該棒状（丸棒状）の運指部２０は、本実施例においては、上端２７，２８を略同一高さにして平行状態に配置され、該棒状の支持部１２の上下端側において、前記連結部２１を構成する連結軸２９，２９により、分離可能の抜き差し固定方式で連結されている。そして該連結された状態で、該棒状の支持部１２の内面３０と該棒状の運指部２０の内面３１との間には１０ｍｍ程度の間隔が設けられており、該棒状の支持部１２の外面３２と該棒状の運指部２０の外面３３との間の距離は３８ｍｍ程度に形成されている。又、前記棒状の支持部１２の長さは３００ｍｍ程度に設定されると共に、前記棒状の運指部２０の長さは、例えばビオラやバイオリンのスケール値に合わせて、例えば３００ｍｍ程度に設定されている。又、前記把持部２６の長さは１００ｍｍ程度に設定されている。
【００３０】
そして前記棒状の運指部２０の前記上下の連結軸２９，２９間の部分に、図２、図４に示すように、周方向に９０度の角度ピッチで、該棒状の運指部２０の長さ方向に延長し且つ横断面円弧状突面として形成された前記運指面１９が、周方向に９０度の角度ピッチで設けられている。
【００３１】
前記連結軸２９，２９は、本実施例においては図５〜６に示すように、合成樹脂製の円柱軸状に形成されており、その一端側３５が前記棒状の支持部１２に埋設状態で固定されている。そして該連結軸２９，２９の他端側の挿入軸部３６は、前記運指面１９，１９，１９，１９の夫々の延長面上において同一円上で設けられた円形状の固定孔部３７に、稍窮屈な状態で着脱可能に挿入固定される。従って、該連結軸２９，２９の他端側の挿入軸部３６，３６を圧入状態で挿入させる固定孔部３７を所要に選択することにより、前記棒状の運指部２０の外面３３に、弦楽器の弦に見立てた、異なる運指面１９を現すことができる。今、これらの運指面１９を、周方向に順次、第１の運指面１９ａと第２の運指面１９ｂと第３の運指面１９ｃと第４の運指面１９ｄとして区別する。
【００３２】
前記運指面１９にその長さ方向に並設された前記運指凹部２２は、本実施例においては図７に示すように、４本の指５，６，７，９の指先１３，１５，１６，１７が、該運指凹部２２を、無理なく馴染んだ状態で押さえ得る（当接し得る）ように、しかも、押さえた感触が、弦楽器の弦を押さえたときと略同様の点接触の感触に近くなるように、直径が４〜７ｍｍ、例えば６ｍｍ程度の球面状凹部として形成されている。該運指凹部２２は、本実施例においては、前記棒状の運指部２０の直径（１５ｍｍ程度）との関係で、該運指部２０の長さ方向では球面状に形成されているが、該運指部２０の幅方向では、図４に示すように、球面を呈さずに該幅方向に延長する面になっている。
【００３３】
そして、各運指面に、上から下に向けて前記運指表示部２２を配設して運指表示部列３８が設けられている。前記第１の運指面１９ａの運指表示部列３８は、図３に示すように、隣り合う運指凹部２２，２２の中心間の間隔部３９の配置が、弦楽器（例えばビオラ）の半音の配置に相当する半音列４０とされている。又前記第２の運指面１９ｂの運指表示部列３８は、図８に示すように、隣り合う運指凹部２２，２２の中心間の間隔部３９の配置が順に、弦楽器（例えばビオラ）の全音と半音と全音に相当する全音・半音・全音列４１とされている。又前記第３の運指面１９ｃの運指表示部列３８は、図８に示すように、隣り合う運指凹部２２，２２間の間隔部３９の配置が順に、弦楽器（例えばビオラ）の半音と全音と全音に相当する半音・全音・全音列４２とされている。更に前記第４の運指面１９ｄの運指表示部列３８は、隣り合う運指凹部２２，２２間の間隔部３９の配置が順に、弦楽器（例えばビオラ）の全音と全音と半音に相当する全音・全音・半音列４３とされている。本実施例においては、半音列４０と全音・半音・全音列４１と半音・全音・全音列４２と全音・全音・半音列４３の各列が、弦楽器の第１ポジションと第２ポジションと第３ポジションに合わせて設けられている。
【００３４】
図１は、棒状の運指部２０の外面３３に現れた第１の運指面１９ａの半音列４０を示し、図９は、棒状の運指部２０の外面３３に現れた第２の運指面１９ｂの全音・半音・全音列４１を示し、図１０は、棒状の運指部２０の外面３３に現れた第３の運指面１９ｃの半音・全音・全音列４２を示し、又図１１は、棒状の運指部２０の外面３３に現れた第４の運指面１９ｄの全音・全音・半音列４３を示すものである。
【００３５】
本実施例においては、前記固定孔部３７に対する前記連結軸２９，２９の他端側の挿入軸部３６の嵌入状態が甘くなったときも該挿入軸部３６が固定孔部３７から脱落しないようにするために、図１２、図１６に示すように、前記連結軸２９，２９の両外側部位において、前記棒状の支持部１２と前記棒状の運指部２０とを向き合う方向に付勢する輪ゴム等の環状の弾性部材４５を装着することとしている。このように環状弾性部材４５を装着した場合は、棒状の運指部１９の外面３３に現れる運指面１９を前記固定孔部３７の選択によって変更する際、図１３に示すように、該環状の弾性部材４５を弾性拡開させた状態で前記連結軸２９，２９の他端側の挿入軸部３６，３６を前記棒状の運指部２０の固定孔部３７，３７から一旦外し、その後、該棒状の運指部２０を所要に回転させ、図１４に示すように、別の固定孔部３７，３７に前記挿入軸部３６，３６を挿入する。この運指部２０の回転操作は、前記把持部２６を把持して容易且つ確実に行うことができる。そしてこの挿入状態は、前記環状の弾性部材４５の付勢作用で保持されるので、該固定孔部３７，３７に対する該挿入軸部３６，３６の嵌入状態が甘くなったときも該挿入軸部３６，３６が該固定孔部３７，３７から脱落するのが防止される。なお、このように環状の弾性部材４５を装着する場合、前記棒状の支持部１２及び棒状の運指部２０に、図１５〜１６に示すように、前記連結軸２９，２９の両外側部位に、前記環状の弾性部材４５を嵌め入れる環状溝４６，４６を周設するのがよい。
【００３６】
図１，図１７、図９，図１８、図１０，図１９、図１１，図２０は、本発明に係る運指練習具１の使用状態を示すものであり、右手２５で前記把持部２６を把持した状態で、前記棒状の支持部１２の親指当接部（円弧状突面）１１を、左手２の親指３の例えば根元側の膨らみ部分４７に当接させると共に、左手２の人指し指５の指先１３と中指６の指先１５と、薬指７の指先１６と、小指９の指先１７を、運指面１９に上下連続して設けられている４個の運指凹部２２，２２，２２，２２を押さえた状態とし、或いは、一部の指を該運指凹部２２から離し且つ他の３本の指の指先は運指凹部２２，２２，２２を押えた運指練習を行う。この練習は、前記のように、運指練習の際に荷重が加わる前記棒状の運指部２０を、前記把持部２６を介してしっかりと把持して行うため、安定状態で行うことができる。これによって、指の各部の関節を柔らかくできると共に、指の筋肉強化や持久力の向上を図ることができる。これをより具体的に説明する。
【００３７】
図１は、前記半音列４０の上下連続する４個の運指凹部２２，２２，２２，２２を、上から順に、人指し指５の指先１３と中指６の指先１５と、薬指７の指先１６と、小指９の指先１７で押さえた状態を示す。そして図１７（Ａ）は、中指６を運指凹部２２から離し、且つ他の３本の指５，７，９の指先１３，１６，１７は運指凹部２２，２２，２２を押えたままの状態を示し、図１７（Ｂ）は、小指９を運指凹部２２から離し、且つ他の３本の指５，６，７の指先１３，１５，１６は運指凹部２２，２２，２２を押えたままの状態を示す。同様に、人指し指５や薬指７を運指凹部２２から離す練習を行う。これは弦楽器における半音列４０の運指練習を行う練習パターンであり、対応の運指凹部２２を正しく且つ機敏に押える押弦練習を行うことができる。
【００３８】
図９は、前記全音・半音・全音列４１の上下連続する４個の運指凹部２２，２２，２２，２２を、上から順に、人指し指５の指先１３と中指６の指先１５と、薬指７の指先１６と、小指９の指先１７で押さえた状態を示す。そして図１８（Ａ）は、中指６を運指凹部２２から離し、且つ他の３本の指５，７，９の指先は運指凹部２２，２２，２２を押えたままの状態を示し、図１８（Ｂ）は、小指９を運指凹部２２から離し、且つ他の３本の指５，６，７の指先は運指凹部２２，２２，２２を押えたままの状態を示す。同様に、人指し指５や薬指７を運指凹部２２から離す練習を行う。これは弦楽器における全音・半音・全音列４１の運指練習を行う練習パターンであり、人指し指５と中指６の間の間隔、及び薬指７と小指９の間の間隔を所要に拡げた指の形を形成する練習ができる。
【００３９】
図１０は、前記半音・全音・全音列４２の上下連続する４個の運指凹部２２，２２，２２，２２を、上から順に、人指し指５の指先１３と中指６の指先１５と、薬指７の指先１６と、小指９の指先１７で押さえた状態を示す。そして図１９（Ａ）は、中指６を運指凹部２２から離し、且つ他の３本の指５，７，９の指先は運指凹部２２，２２，２２を押えたままの状態を示し、図１９（Ｂ）は、小指９を運指凹部２２から離し、且つ他の３本の指５，６，７の指先は運指凹部２２，２２，２２を押さえたままの状態を示す。同様に、人指し指５や薬指７を運指凹部２２から離す練習を行う。これは弦楽器における半音・全音・全音列４２の運指練習を行う練習パターンであり、中指６と薬指７の間の間隔、薬指７と小指９の間の間隔を所要に拡げた指の形を形成する練習ができる。
【００４０】
図１１は、前記全音・全音・半音列４３の上下連続する４個の運指凹部２２，２２，２２，２２を、上から順に、人指し指５の指先１３と中指６の指先１５と、薬指７の指先１６と、小指９の指先１７で押さえた状態を示す。そして図２０（Ａ）は、中指６を運指凹部２２から離し、且つ他の３本の指５，７，９の指先は運指凹部２２，２２，２２を押えたままの状態を示し、図２０（Ｂ）は、小指９を運指凹部２２から離し、且つ他の３本の指５，６，７の指先は運指凹部２２，２２，２２を押えたままの状態を示す。同様に、人指し指５や薬指７を運指凹部２２から離す練習を行う。これは弦楽器における全音・全音・半音列４３の運指練習を行う練習パターンであり、人指し指５と中指６の間の間隔、中指６と薬指７の間の間隔を所要に拡げた指の形を形成する練習ができる。
【００４１】
本実施例においては、スケール長が３６５ｍｍのビオラを標準にして各運指凹部２２が配設されており、図２１に示すように、前記第１の運指面１９ａに設けた前記半音列４０の上下隣り合う運指凹部２２，２２間の距離（中心間距離）を、運指部２０の上端側から下端側に向けて順番にＬ１、Ｌ２、Ｌ３、Ｌ４、Ｌ５、Ｌ６、Ｌ７、Ｌ８、Ｌ９、Ｌ１０、Ｌ１１、Ｌ１２、Ｌ１３、Ｌ１４、Ｌ１５としたとき、これらを夫々、１９．４ｍｍ、１８．２ｍｍ、１７．２ｍｍ、１６．３ｍｍ、１５．４ｍｍ、１４．４ｍｍ、１３．７ｍｍ、１２．９ｍｍ、１２．２ｍｍ、１１．５ｍｍ、１０．８ｍｍ、１０．３ｍｍ、９．７ｍｍ、９．１ｍｍ、８．６ｍｍに設定すると共に、前記第２の運指面１９ｂ、第３の運指面１９ｃ、第４の運指面１９ｄに設ける各運指凹部２２の配置状態を、該第１の運指面１９ａの前記Ｌ１〜Ｌ１５の寸法に合わせて設定している。
【００４２】
従って、かかる構成の運指練習具１によるときは、最上端の運指凹部２２ａ（図２１）を、ビオラの第１ポジションの最上端運指凹部として、第１ポジション、第２ポジション、第３ポジションの各ポジションにおける運指練習を行うことができる。
【００４３】
そして、４／４バイオリンにあっては、前記第１の運指面１９ａについて、上端から３個目の運指凹部２２ｂ（図２１）を第１ポジションの最上端の運指凹部とし、半音列の運指練習を行うことができると共に、前記第２の運指面１９ｂについては、上端から２個目の運指凹部２２ｃ（図８）を第１ポジションの最上端の運指凹部として半音・全音・全音列の運指練習を行うことができる。又、前記第３の運指面１９ｃについては、上端から２個目の運指凹部２２ｄ（図２１）を第１ポジションの最上端の運指凹部とし、全音・全音・半音列の運指練習を行うことができると共に、前記第４の運指面１９ｄについては、上端から２個目の運指凹部２２ｅ（図２１）を第１ポジションの最上端の運指凹部とし、全音・半音・全音列の運指練習を行うことができる。
【００４４】
又１／２バイオリンにあっては、前記第１の運指面１９ａについて、上端から５個目の運指凹部２２ｆ（図２１）を第１ポジションの最上端の運指凹部とし、半音列の運指練習を行うことができると共に、前記第２の運指面１９ｂについては、上端から３個目の運指凹部２２ｇ（図８）を第１ポジションの最上端の運指凹部として全音・全音・半音列の運指練習を行うことができる。又、前記第３の運指面１９ｃについては、上端から３個目の運指凹部２２ｈを第１ポジションの最上端の運指凹部とし、全音・半音・全音列の運指練習を行うことができると共に、前記第４の運指面１９ｄについては、上端から３個目の運指凹部２２ｊを第１ポジションの最上端の運指凹部とし、半音・全音・全音列の運指練習を行うことができる。
【００４５】
更に１／４バイオリンにあっては、前記第１の運指面１９ａについて、上端から７個目の運指凹部２２ｋを第１ポジションの最上端の運指凹部とし、半音列の運指練習を行うことができると共に、前記第２の運指面１９ｂについては、上端から４個目の運指凹部２２ｍを第１ポジションの最上端の運指凹部とし、全音・半音・全音列の運指練習を行うことができる。又、前記第３の運指面１９ｃについては上端から４個目の運指凹部２２ｎを第１ポジションの最上端の運指凹部とし、半音・全音・全音列の運指練習を行うことができると共に、前記第４の運指面１９ｄについては、上端から４個目の運指凹部２２ｐを第１ポジションの最上端の運指凹部とし、全音・全音・半音列の運指練習を行うことができる。
【００４６】
隣り合う運指凹部間の間隔を前記のように設定した場合は、前記運指練習具１を、４種類の弦楽器の運指練習のために兼用できる利点がある。このように兼用した場合は、前記半音列に関して、隣り合う運指凹部の中心間の距離が実際の半音長さに比して０．１〜０．３ｍｍ程度の範囲で若干異なるが、これは、運指練習には殆ど支障のない誤差範囲である。又このように兼用する場合は、４／４バイオリン、１／２バイオリン、１／４バイオリンの運指練習に際して用いられる運指凹部を容易に見分けられるように、該運指凹部又はその近傍に、着色や目印等を付するのがよい。少なくとも、最上端の運指凹部を他と区別できるようにするのがよい。
【００４７】
図２２〜２３は、携帯型の運指練習具１を示すものであり、前記棒状の運指部２０の全長が前記実施例における場合に比して短く形成されており、第１の運指面１９ａと第２の運指面１９ｂと第３の運指面１９ｃと第４の運指面１９ｄには、ビオラ等の所定の弦楽器における第１ポジションに相当する押弦位置を示す運指凹部２２が設けられている。より具体的に説明すれば、丸棒状に形成された棒状の支持部１２と丸棒状に形成された棒状の運指部２０とを、その上下端側において、連結部２１を構成する連結軸２９，２９で抜き差し固定方式で連結すると共に、該棒状の運指部２０の周面に、９０度の角度ピッチで、第１の運指面１９ａと第２の運指面１９ｂと第３の運指面１９ｃと第４の運指面１９ｄを設け、又、該棒状の運指部２０の下端に、前記棒状の支持部１２の下端２４の下方に延長する把持部２６（長さは、例えば５０ｍｍ程度）を連設した点については前記と共通しているが、各運指面１９ａ，１９ｂ，１９ｃ，１９ｄの長さを、前記第１ポジションに相当する運指凹部を形成するものに限定した点で相違し、運指練習具１の全長が、携帯に便利なように短く形成されている。各運指面に、第１ポジションに相当する運指凹部を形成することとしているのは、指間の間隔が最も広くなって演奏が困難である第１ポジションの運指練習を効果的に行うことができるようにするためである。
【００４８】
なお、前記４種類の運指面１９ａ，１９ｂ，１９ｃ，１９ｄには、同一の弦楽器について、半音列４０と、全音・半音・全音列４１と、半音・全音・全音列４２と、全音・全音・半音列４３を設ける他、例えば、ビオラの半音列と、４／４バイオリンの半音列と、１／２バイオリンの半音列と、１／４バイオリンの半音列を設けることもある。なお、これらの半音列は第１ポジションについてのものである。このように半音列を設ける場合は、該半音列によって、全音・半音・全音列も、半音・全音・全音列も、全音・全音・半音列も運指練習できることとなる。
【００４９】
本実施例に係る運指練習具１にあっても、前記運指部２０の回転操作を、前記把持部２６を把持して容易且つ確実に行うことができる。
【００５０】
図２２においては、連結部２１を構成する前記上下の連結軸２９，２９を、前記運指面１９ａ，１９ｂ，１９ｃ，１９ｄの外側に位置するように設けているが、例えば図２４に示すように、該連結軸２９の他端側の挿入軸部３６を挿入固定させるための固定孔部３７と前記運指凹部２２とを兼用するように、前記運指面１９に設けることもある。この場合、該固定孔部３７の直径を前記運指凹部２２の直径と同程度に設定する。固定孔部３７を、前記運指凹部２２と別個に運指面１９に設けたとすれば、運指練習に際して、固定孔部３７と運指凹部２２とが紛らわしくなって運指練習の妨げになりやすいが、このように固定孔部３７と運指凹部２２とを兼用することにより、運指練習具１の全長を短く設定できながら運指練習の妨げになることもない利点がある。
【００５１】
このように構成する場合も、連結部２１の挿入軸部３６が固定孔部３７から不用意に脱落しないように、図１２や図１５〜１６に示すと同様、上下の連結軸２９，２９の外側に位置させて環状弾性部材４５を装着することができる。
【００５２】
図２５は、携帯型の運指練習具１の他の態様を示すものであり、図２４に示す携帯型の運指練習具１において、連結部２１を構成する連結軸２９の挿入軸部３６を棒状の運指部２０に固定した態様を示すものである。この場合は、棒状の運指部２０の外面（棒状の運指部２０の、連結軸２９，２９による連結側と反対側の外面）３３をなす運指面１９にのみ、前記運指凹部２２が、前記第１ポジションの半音列について設けられている。
【実施例２】
【００５３】
図２６〜２８は、本発明に係る運指練習具１の他の実施例を示すものであり、図２に示すと同様に構成された丸棒状の支持部１２と丸棒状の運指部２０とが、例えば１０ｍｍ程度の間隔を隔てて平行状態に配置され、該支持部２０と該運指部２０とが連結部２１を介して連結されている。そして、全体幅は４０ｍｍ程度に設定され、該棒状（丸棒状）の運指部２０が、その軸線回りに回転でき且つロック具４９により９０度の角度ピッチ毎にロックされるように構成されている。又、該棒状の運指部２０の外面には、図２８に示すように、周方向に９０度の角度ピッチで第１の運指面１９ａと第２の運指面１９ｂと第３の運指面１９ｃと第４の運指面１９ｄが設けられており、各運指面１９ａ，１９ｂ，１９ｃ，１９ｄには、前記と同様の半音列４０と、全音・半音・全音列４１と、半音・全音・全音列４２と、全音・全音・半音列４３が設けられている。そして前記と同様にして、前記棒状の運指部２０の下端に把持部２６が連設されている。
【００５４】
該連結部２１は、前記棒状の支持部１２に固定され、且つ、前記棒状の運指部２０をその軸線回りに回転可能に保持する連結部材５０を有する。本実施例においては、図２６〜２７、図２９〜３０に示すように、下の連結部材５０ａと上の連結部材５０ｂとにより構成されており、該上下の連結部材５０ａ，５０ｂは共に樹脂製である。該下の連結部材５０ａは、前記棒状の支持部１２を略密接状態に挿通させる円筒状を呈する第１の筒片５２と、前記棒状の運指部２０を略密接状態に挿通させる円筒状を呈する第２の筒片５３との内端相互を、連結片５５で連結した構成を有しており、例えば、全体が合成樹脂で一体成形されている。そして、前記第１の筒片５２の対向側にはビス挿通孔５６，５６が設けられている。かかる構成を有する下の連結部材５０ａは、前記第１の筒片５２に前記棒状の支持部１２の下端部分５７が挿通状態とされると共に、前記第２の筒片５３に、前記棒状の運指部２０の、前記把持部２６の稍上側の部分５９が挿通状態とされる。そして、前記ビス挿通孔５６，５６にビス６０，６０を挿通してねじ込むことにより、該第１の筒片５２が棒状の支持部１２に固定される。
【００５５】
又前記上の連結部材５０ｂは、図２６〜２７、図２９〜３０に示すように、前記棒状の支持部１２の上端部分６１を挿入させる第１の筒部材６２と、前記棒状の運指部２０の上端部分６３を挿入させる第２の筒部材６５と、例えばラチェット方式の前記ロック具４９を具えている。該第１の筒部材６２は、前記棒状の支持部１２の上端部分６１を挿入させる円形凹部６６が設けられた筒部６７の外側部分に、前記棒状の運指部２０の上端側に向けて突出する板状の突出部６９が突設され、該突出部６９の先端部分に、前記棒状の運指部２０と軸線を共通にして支持孔７０が設けられている。そして、前記筒部６７の対向側にはビス挿通孔７１，７１が設けられている。
【００５６】
又、前記第２の筒部材６５は、図２９〜３０に示すように、前記棒状の運指部２０の上端部分６３を挿入させる円形凹部７３が設けられた筒部７５の外面に、前記支持孔７０に挿通される支持軸部７６が突設されると共に、該支持軸部７６には、その軸線と同心に固定突部７７が突設されている。そして、前記筒部７５の対向側にはビス挿通孔７９，７９が設けられている。
【００５７】
又前記ロック具４９は、前記第１の筒部材６２の前記筒部６７の外面に固定された例えば円板状の固定片８０の接線方向に、前記突出部６９の先端側に向けて斜めに突設されたアーム片８１と、前記固定突部７７に同心に固設された円板状の係合板部８２とを具え、該係合板部８２の周面８３には、周方向に９０度の角度ピッチで円弧状の係合凹部８５が、欠切状態に設けられている。そして各係合凹部８５，８５，８５，８５には、図３１に示すように、前記アーム片８１の先端部分に設けられた円弧面状の係合突部８６が該アーム片８１の付勢作用によって弾性的に嵌め入る。前記棒状の運指部２０をその軸線回りに回転させると、図３２に示すように、該アーム片８１の付勢作用に逆らって、隣り合う係合凹部８５，８５間の円弧面部分８７に乗り上がり、その後、該係合突部８６が所要の係合凹部８５に嵌め入ることによって、図２７〜２８に示すように、棒状の運指部２０の外面３３に、前記第１〜第４の運指面１９ａ，１９ｂ，１９ｃ，１９ｄの内の何れかが現れ、その状態が固定される。
【００５８】
そして、前記棒状の支持部１２の上端部分６１が前記第１の筒部材６２の筒部６７に挿入された状態で、前記ビス挿通孔７１，７１にビス８４，８４を挿通してねじ込むことにより、該第１の筒部材６２が棒状の支持部１２の上端部分に固定される。又、前記棒状の運指部２０の上端部分６３が前記第２の筒部材６５の筒部７５に挿入された状態で前記ビス挿通孔７９，７９にビス９０，９０を挿通してねじ込むことにより、該第２の筒部材６５が前記棒状の運指部２０の上端部分に固定される。これにより該棒状の運指部２０は、前記第２の筒片５３と前記第２の筒部材６５の筒部６７で、その軸線回りに回転可能に保持される。そして該運指部２０の回転操作は、前記把持部２６を把持して容易且つ確実に行うことができる。
【００５９】
従って、前記棒状の運指部２０の軸線回りの回転は、前記ロック具４９により、９０度の角度ピッチ毎にロックされ、該棒状の支持部１２の外面３３に所要の運指面１９を表すことができるので、前記と同様に運指練習を行うことができる。
【実施例３】
【００６０】
本発明は、前記実施例で示したものに限定されるものでは決してなく、「特許請求の範囲」の記載内で種々の設計変更が可能であることはいうまでもない。その一例を挙げれば次のようである。
【００６１】
(1) 棒状の運指部２０の前記運指面１９を、前記のように、横断面で円弧状突面として形成することは、運指凹部２２を指先で押えた際（運指凹部２２に指先を当接させた際）に、弦楽器における点接触の押弦の感触等、点接触の感触が得られるために運指効果を上げることができて好ましい。
図３３〜３４は、棒状の運指部２０を横断面楕円形状に形成した場合を示すものであり、曲率半径の大きい対向する２面を運指面１９，１９とし、該運指面１９，１９に、例えば、２種類の弦楽器における半音列を、前記と同様の運指凹部２２の並設によって設けている。又図３５は、棒状の運指部２０を横断面が角丸の正方形状に形成し、４つの平坦面９１を、夫々運指面１９，１９，１９，１９とし、各運指面１９に、図１に示すと同様の半音列４０と、全音・半音・全音列４１と、半音・全音・全音列４２と、全音・全音・半音列４３を設けた場合を示している。この場合は、前記運指凹部２２を押えたとき、該運指凹部２２の周辺部分にも指先が当たるために点接触の感触は得にくいが、一応の運指練習効果は得られる。
【００６２】
(2) 運指面１９が棒状の運指部２０の周方向に複数設けられる場合は、同一の楽器（弦楽器等）に関して、半音列４０、全音・半音・全音列４１、半音・全音・全音列４２、全音・全音・半音列４３の内の全部或いは選択された複数が設けられることの他、異なる楽器に関する半音列を設けることもある。
【００６３】
(3) 前記支持部１２の前記親指当接部１１は、前記した親指の付け根の膨らみ部分の他、親指の側面等、親指の所要部位に当接せしめられる。
そして該親指当接部１１は、親指に対する当たりをソフトにするために、横断面で円弧状突面に形成するのがよい。図３４は、棒状等の支持部１２を半割円柱状に形成し、親指当接部１１を横断面で円弧状突面として形成した場合を示している。
【００６４】
(4) 前記把持部２６は、図１に示すように、運指部２０の下端に延長されることの他、図３６に示すように、支持部１２の下端に、前記運指部２０の下端９４の下方に延長するように設けられることもある。又、運指部２０と支持部１２とからなる本体の下端の中間部で下方に延長するように設けられることもある。
【００６５】
(5) 本発明に係る運指練習具１を構成する支持部１２と運指部２０は、前記のように独立状態に設けられることの他、該支持部１２と該運指部２０とが一連に連なった状態に設けられることもある。
【００６６】
(6) 前記棒状の支持部１２及び前記棒状の運指部２０は、前記実施例で示したように木製とされることの他、樹脂製や金属製とされることもある。又、これらはパイプ状に形成されることもある。そして、棒状の運指部２０をパイプ状に形成した場合、前記運指凹部２２は前記のように窪み部として形成されることの他、開口部として形成されることもある。
【００６７】
(7) 前記運指面１９に設けられる運指凹部２２は、前記のような窪み状の凹部や開口として形成されることの他、溝状等に形成されることもある。
【００６８】
(8) 前記運指表示部２３は、前記のような凹部（運指凹部２２）として構成することの他、図３７〜３８に示すような突部９５として構成することもある。該突部９５は、指に負担が掛からないように球面状に形成するのがよい。なお、点接触の感触をより強く認識できるようにするため、該凹部や突部の中心部分に小突起を設けることも考えられる。
【００６９】
(9) 前記運指表示部２３は、棒状等の運指部２０の運指面１９に印刷等で平面的に付された目印として構成されることがある他、例えば図３９に示すように、運指面１９の長さ方向に発光ダイオード９６ａとしての発光部９６を並設し、運指練習で押さえるべき部分を、例えば図４０〜４１で斜線を付して示すように該発光ダイオード９６ａの発光部分により表示するように構成されることもある。なお、図４０で、斜線を付して示す発光ダイオードの発光部分９８の列は半音列４０を示し、図４１で、斜線を付して示す発光ダイオードの発光部分９８の列は、全音・半音・全音列４１を示している。或いは、運指部２０の内部にその長さ方向に並列状態に組み込んだ発光部の所要のものを発光させることによって、運指練習で押さえるべき部分を発光部分で表示するように構成することもできる。このように構成する場合は、運指部２０をその軸線回りで回転させる必要がなく、一台で、様々な弦楽器等の楽器の運指練習に対応できる。
このように構成する場合、運指面１９の押さえるべき部分（発光ダイオード等の発光部の発光部分）は、平面に形成することの他、前記運指凹部２２や前記突部９５に相当する部分に発光ダイオード等の発光部を組み込んで、凹部や突部として構成することもある。  
【００７０】
(10)棒状等の運指部２０をその軸線回りに回転可能に構成し且つロック具４９により９０度又は１８０度の角度ピッチ毎にロックされるように構成する場合、該ロック具４９は、前記したラチェット方式に構成することの他、各種の公知手段を用いて構成できる。
【００７１】
(11)前記棒状等の支持部１２と棒状等の運指部２０との間の間隔は、対象とする弦楽器の種類に応じて自然な運指練習を行い得るように設定されるものであり、又、使用者の手の大きさに合わせて適宜に設定されるものである。この間隔を調節可能に構成することもある。
【００７２】
(12)前記支持部１２と前記運指部２０とを向き合う方向に付勢する前記弾性部材４５は、前記した輪ゴムとしての他、該支持部１２と該運指部２０に独立して嵌着されるリング部相互を弾性連結片で連結したもの等であってもよい。
【００７３】
(13)棒状等の運指部２０を周方向で回転操作可能に構成するためや、運指練習具の軽量化を図るためには、前記棒状の支持部１２と前記棒状の運指部２０との間に、例えば図３に示すように空間部９３を形成するのが好ましいが、この空間部９３を省略して、前記棒状の支持部１２と前記棒状の運指部２０とを一連状態に構成することもある。
【００７４】
(14)本発明に係る運指練習具１は、ビオラやバイオリン、チェロ、二胡、三味線、ギター等の各種の弦楽器や、管楽器、ピアノやオルガン等の各種の楽器の運指練習具として応用され得る。
【図面の簡単な説明】
【００７５】
【図１】本発明に係る運指練習具をその使用状態で示す斜視図である。
【図２】運指練習具を示す斜視図である。
【図３】運指練習具を示す平面図である。
【図４】その断面図である。
【図５】運指練習具を分解して示す斜視図である。
【図６】棒状の支持部と棒状の運指部とを連結軸で連結した状態を示す断面図である。
【図７】半音列の運指凹部に４本の指の指先を当接させた状態を示す断面図である。
【図８】運指練習具を示す平面図である。
【図９】運指練習具の他の使用状態を示す斜視図である。
【図１０】運指練習具のその他の使用状態を示す斜視図である。
【図１１】運指練習具のその他の使用状態を示す斜視図である。
【図１２】棒状の支持部の両側部分で環状の弾性部材を装着した状態を示す平面図である。
【図１３】環状の弾性部材が装着された状態で棒状の運指部を回転操作する工程を説明する平面図である。
【図１４】その回転操作によって、棒状の運指部の外面に現れる運指面を変更した状態を示す平面図である。
【図１５】棒状の支持部と棒状の運指部とに設けた環状溝に環状の弾性部材を嵌め入れた状態を示す平面図である。
【図１６】その断面図である。
【図１７】半音列の運指練習パターンを説明する斜視図である。
【図１８】全音・半音・全音列の運指練習パターンを示す斜視図である。
【図１９】半音・全音・全音列の運指練習パターンを示す斜視図である。
【図２０】全音・全音・半音列の運指練習パターンを示す斜視図である
【図２１】隣り合う運指凹部間の距離を例示する平面図である。
【図２２】携帯型運指練習具の一例を示す平面図である。
【図２３】その断面図である。
【図２４】携帯型運指練習具の他の実施例を示す平面図である。
【図２５】携帯型運指練習具のその他の実施例を示す一部断面平面図である。
【図２６】棒状の運指部を９０度の角度ピッチ毎に回転可能とし、且つその回転状態を保持するように構成された運指練習具を示す斜視図である。
【図２７】その運指練習具を逆方向から見た斜視図である。
【図２８】その断面図である。
【図２９】その分解斜視図である。
【図３０】上の連結部材の構成を説明する分解斜視図である。
【図３１】ロック具によるロック作用を説明する正面図である。
【図３２】ロック具によるロック解除の状態を説明する正面図である。
【図３３】運指練習具のその他の実施例を示す断面図である。
【図３４】運指練習具のその他の実施例を示す断面図である。
【図３５】運指練習具のその他の実施例を示す断面図である。
【図３６】把持部を支持部の下端に連設した運指練習具をその使用状態で示す斜視図である。
【図３７】運指表示部を突部として構成した運指練習具を示す斜視図である。
【図３８】その断面図である。
【図３９】運指表示部を発光ダイオードを並設して構成した運指練習具を示す斜視図である。
【図４０】その使用状態の一例を示す斜視図である。
【図４１】その使用状態の他の例を示す斜視図である。
【符号の説明】
【００７６】
１  運指練習具
２  左手
３  親指
５  人指し指
６  中指
７  薬指
９  小指
１４  本体
１９  運指面
２０  運指部
２１  連結部
２２  運指凹部
２３  運指表示部
２４  支持部の下端
２５  右手
２６  把持部
２９  連結軸
３３  運指部の外面
３６  挿入軸部
３７  固定孔部
４０  半音列
４１  全音・半音・全音列
４２  半音・全音・全音列
４３  全音・全音・半音列
４５  環状弾性部材
４６  環状溝
４９  ロック具
５０  下の連結部材
５１  上の連結部材
【図１】
2006343551.tif 000003
【図２】
2006343551.tif 000004
【図３】
2006343551.tif 000005
【図４】
2006343551.tif 000006
【図５】
2006343551.tif 000007
【図６】
2006343551.tif 000008
【図７】
2006343551.tif 000009
【図８】
2006343551.tif 000010
【図９】
2006343551.tif 000011
【図１０】
2006343551.tif 000012
【図１１】
2006343551.tif 000013
【図１２】
2006343551.tif 000014
【図１３】
2006343551.tif 000015
【図１４】
2006343551.tif 000016
【図１５】
2006343551.tif 000017
【図１６】
2006343551.tif 000018
【図１７】
2006343551.tif 000019
【図１８】
2006343551.tif 000020
【図１９】
2006343551.tif 000021
【図２０】
2006343551.tif 000022
【図２１】
2006343551.tif 000023
【図２２】
2006343551.tif 000024
【図２３】
2006343551.tif 000025
【図２４】
2006343551.tif 000026
【図２５】
2006343551.tif 000027
【図２６】
2006343551.tif 000028
【図２７】
2006343551.tif 000029
【図２８】
2006343551.tif 000030
【図２９】
2006343551.tif 000031
【図３０】
2006343551.tif 000032
【図３１】
2006343551.tif 000033
【図３２】
2006343551.tif 000034
【図３３】
2006343551.tif 000035
【図３４】
2006343551.tif 000036
【図３５】
2006343551.tif 000037
【図３６】
2006343551.tif 000038
【図３７】
2006343551.tif 000039
【図３８】
2006343551.tif 000040
【図３９】
2006343551.tif 000041
【図４０】
2006343551.tif 000042
【図４１】
2006343551.tif 000043
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
一方の手の親指と４本の指との間に挾持した状態で使用される楽器の運指練習具であって、親指当接部を有した支持部と、前記４本の指の指先を当接させるための運指面を有した運指部とが平行状態で設けられてなる本体を具え、該運指面にはその長さ方向に、運指表示部が、楽器の被運指部に合わせて所要間隔で並設されており、又、前記支持部の下端と前記運指部の下端を含む前記本体の下端の、前記支持部の下端、前記運指部の下端、又は該両下端間の中間部に、下方に延長して他方の手で把持される把持部が設けられていることを特徴とする楽器の運指練習具。
【請求項２】
一方の手の親指と４本の指との間に挾持した状態で使用される楽器の運指練習具であって、親指当接部を有した支持部と、前記４本の指の指先を当接させるための運指面を有した運指部とが平行状態で設けられてなる本体を具え、該運指面にはその長さ方向に、運指表示部が、楽器の被運指部に合わせて所要間隔で並設されており、又、前記運指部の下端に、前記支持部の下端の下方に延長して他方の手で把持される把持部が設けられていることを特徴とする楽器の運指練習具。
【請求項３】
一方の手の親指と４本の指との間に挾持した状態で縦長にして使用される楽器の運指練習具であって、親指当接部を有した棒状の支持部と、前記４本の指の指先を当接させるための運指面を有した棒状の運指部とが平行状態で設けられてなる本体を具え、該運指面にはその長さ方向に、凹部等としての運指表示部が、楽器の被運指部に合わせて所要間隔で並設されており、又、前記棒状の運指部の下端に、前記棒状の支持部の下端の下方に延長して他方の手で把持される把持部が設けられていることを特徴とする楽器の運指練習具。
【請求項４】
一方の手の親指と４本の指との間に挾持した状態で縦長にして使用される楽器の運指練習具であって、横断面で円弧状突面を呈する親指当接部を有した棒状の支持部と、横断面で円弧状突面を呈し且つ前記４本の指の指先を当接させるための運指面を有した棒状の運指部とが平行状態で設けられてなる本体を具え、該運指面にはその長さ方向に、凹部等としての運指表示部が、楽器の被運指部に合わせて所要間隔で並設されており、又、前記棒状の運指部の下端に、前記棒状の支持部の下端の下方に延長して他方の手で把持される把持部が設けられていることを特徴とする楽器の運指練習具。
【請求項５】
一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とは、平行状態を呈して、連結部で連結されており、該丸棒状の支持部の外面が親指当接部とされると共に、該丸棒状の運指部の外面が前記４本の指の指先を当接させるための運指面とされ、該運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とする楽器の運指練習具。
【請求項６】
一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とは、平行状態を呈して、その対向内面相互が軸状の連結部で連結されており、該軸状の連結部の一端側が前記丸棒状の支持部に固定されると共に、その他端側は、前記丸棒状の運指部の周方向に所要間隔を置いて複数設けられた固定孔部に着脱可能に挿入固定される挿入軸部とされており、又、該丸棒状の支持部の外面が親指当接部とされると共に、該丸棒状の運指部の外面が前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とする楽器の運指練習具。
【請求項７】
一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とは、平行状態を呈して、その対向内面相互が軸状の連結部で連結されており、該軸状の連結部の一端側が前記丸棒状の支持部に固定されると共に、その他端側は、前記丸棒状の運指部の周方向に９０度又は１８０度の角度ピッチで設けられた固定孔部に着脱可能に挿入固定される挿入軸部とされており、又、該丸棒状の支持部の外面が親指当接部とされると共に、該丸棒状の運指部の外面が、前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とする楽器の運指練習具。
【請求項８】
請求項６又は７記載の楽器の運指練習具において、前記運指表示部が凹部として形成される場合、前記固定孔部が前記運指面に設けられており、且つ該固定孔部と前記凹部とが兼用されていることを特徴とする楽器の運指練習具。
【請求項９】
前記運指面の両端側において、前記支持部と前記運指部とを向き合う方向に付勢する弾性部材が装着されていることを特徴とする請求項６又は７記載の楽器の運指練習具。
【請求項１０】
一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状の運指部とからなる本体を具え、該丸棒状の支持部と該丸棒状の運指部とは、平行状態を呈して、該丸棒状の支持部の両端側で連結部により連結されており、該連結部は、前記丸棒状の支持部に固定され、且つ、前記丸棒状の運指部をその軸線回りに回転可能に保持する連結部材を有し、該回転はロック具により、９０度又は１８０度の角度ピッチ毎にロックされるようになされており、又、前記丸棒状の支持部の外面が親指当接部とされると共に、該ロック具によりロックされた前記丸棒状の運指部の外面が、前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とする楽器の運指練習具。
【請求項１１】
請求項２、３、４、５、６、７又は１０記載の楽器の運指練習具において、前記運指部の下端に、前記支持部の下端の下方に延長して他方の手で把持される前記把持部を設けることに代え、前記支持部の下端に、前記運指部の下端の下方に延長して他方の手で把持される把持部を設けることを特徴とする楽器の運指練習具。
【請求項１２】
前記運指表示部は、前記運指面の長さ方向に配設された発光ダイオード等の発光部を以って構成し、楽器の被運指部に合わせて所要の発光部を発光させることを特徴とする請求項１〜１１のいずれかに記載の楽器の運指練習具。
【請求項１３】
前記運指面に上から下に向けて前記運指表示部を配設して構成された運指表示部列は、少なくとも、隣り合う運指表示部間の間隔部の配置が弦楽器の半音の配置に相当する半音列を含むことを特徴とする請求項１〜１２のいずれかに記載の楽器の運指練習具。
【請求項１４】
前記運指部が４つの運指面を有する場合、各運指面に上から下に向けて前記運指表示部を配設して構成された４列の運指表示部列は、隣り合う運指表示部間の間隔部の配置が弦楽器の半音の配置に相当する半音列と、隣り合う運指表示部間の間隔部の配置が順に、弦楽器の全音と半音と全音に相当する全音・半音・全音列と、隣り合う運指表示部間の間隔部の配置が順に、弦楽器の半音と全音と全音に相当する半音・全音・全音列と、隣り合う運指表示部間の間隔の配置が順に、弦楽器の全音と全音と半音に相当する全音・全音・半音列であることを特徴とする請求項６、７又は１０記載の楽器の運指練習具。
【手続補正２】
【補正対象書類名】明細書
【補正対象項目名】０００５
【補正方法】変更
【補正の内容】
【０００５】
前記課題を解決するため、本発明は以下の手段を採用する。
即ち本発明に係る楽器の運指練習具は、一方の手の親指と４本の指との間に挾持した状態で使用される楽器の運指練習具であって、親指当接部を有した支持部と、前記４本の指の指先を当接させるための運指面を有した運指部とが平行状態で設けられてなる本体を具え、該運指面にはその長さ方向に、運指表示部が、楽器の被運指部に合わせて所要間隔で並設されており、又、前記支持部の下端と前記運指部の下端を含む前記本体の下端の、前記支持部の下端、前記運指部の下端、又は該両下端間の中間部に、下方に延長して他方の手で把持される把持部が設けられていることを特徴とするものである。
【手続補正３】
【補正対象書類名】明細書
【補正対象項目名】０００６
【補正方法】変更
【補正の内容】
【０００６】
本発明に係る楽器の運指練習具のより好ましい態様の一つは、一方の手の親指と４本の指との間に挾持した状態で使用される楽器の運指練習具であって、親指当接部を有した支持部と、前記４本の指の指先を当接させるための運指面を有した運指部とが平行状態で設けられてなる本体を具え、該運指面にはその長さ方向に、運指表示部が、楽器の被運指部に合わせて所要間隔で並設されており、又、前記運指部の下端に、前記支持部の下端の下方に延長して他方の手で把持される把持部が設けられていることを特徴とするものである。
【手続補正４】
【補正対象書類名】明細書
【補正対象項目名】０００７
【補正方法】変更
【補正の内容】
【０００７】
又、本発明に係る楽器の運指練習具のより好ましい態様の他は、一方の手の親指と４本の指との間に挾持した状態で縦長にして使用される楽器の運指練習具であって、親指当接部を有した棒状の支持部と、前記４本の指の指先を当接させるための運指面を有した棒状の運指部とが平行状態で設けられてなる本体を具え、該運指面にはその長さ方向に、凹部等としての運指表示部が、楽器の被運指部に合わせて所要間隔で並設されており、又、前記棒状の運指部の下端に、前記棒状の支持部の下端の下方に延長して他方の手で把持される把持部が設けられていることを特徴とするものである。
【手続補正５】
【補正対象書類名】明細書
【補正対象項目名】０００８
【補正方法】変更
【補正の内容】
【０００８】
又、本発明に係る楽器の運指練習具のより好ましい態様のその他は、一方の手の親指と４本の指との間に挾持した状態で縦長にして使用される楽器の運指練習具であって、横断面で円弧状突面を呈する親指当接部を有した棒状の支持部と、横断面で円弧状突面を呈し且つ前記４本の指の指先を当接させるための運指面を有した棒状の運指部とが平行状態で設けられてなる本体を具え、該運指面にはその長さ方向に、凹部等としての運指表示部が、楽器の被運指部に合わせて所要間隔で並設されており、又、前記棒状の運指部の下端に、前記棒状の支持部の下端の下方に延長して他方の手で把持される把持部が設けられていることを特徴とするものである。
【手続補正６】
【補正対象書類名】明細書
【補正対象項目名】０００９
【補正方法】変更
【補正の内容】
【０００９】
又、本発明に係る楽器の運指練習具のより好ましい態様のその他は、一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とは、平行状態を呈して、連結部で連結されており、該丸棒状の支持部の外面が親指当接部とされると共に、該丸棒状の運指部の外面が前記４本の指の指先を当接させるための運指面とされ、該運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とするものである。
【手続補正７】
【補正対象書類名】明細書
【補正対象項目名】００１０
【補正方法】変更
【補正の内容】
【００１０】
又、本発明に係る楽器の運指練習具のより好ましい態様のその他は、一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とは、平行状態を呈して、その対向内面相互が軸状の連結部で連結されている。そして、該軸状の連結部の一端側が前記丸棒状の支持部に固定されると共に、その他端側は、前記丸棒状の運指部の周方向に所要間隔を置いて複数設けられた固定孔部に着脱可能に挿入固定される挿入軸部とされている。又、該丸棒状の支持部の外面が親指当接部とされると共に、該丸棒状の運指部の外面が前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とするものである。
【手続補正８】
【補正対象書類名】明細書
【補正対象項目名】００１１
【補正方法】変更
【補正の内容】
【００１１】
又、本発明に係る楽器の運指練習具のより好ましい態様のその他は、一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状に形成された運指部とからなる本体を具え、該丸棒状の支持部と該丸棒状の運指部とは、平行状態を呈して、その対向内面相互が軸状の連結部で連結されている。そして、該軸状の連結部の一端側が前記丸棒状の支持部に固定されると共に、その他端側は、前記丸棒状の運指部の周方向に９０度又は１８０度の角度ピッチで設けられた固定孔部に着脱可能に挿入固定される挿入軸部とされている。又、該丸棒状の支持部の外面が親指当接部とされると共に、該丸棒状の運指部の外面が、前記４本の指の指先を当接させるための運指面とされ、夫々の運指面にはその長さ方向に、凹部等としての運指表示部が、楽器の被運指部に合わせて所要間隔で並設されており、又、前記丸棒状の運指部の下端に、前記丸棒状の支持部の下端の下方に延長して他方の手で把持される把持部が設けられていることを特徴とするものである。
【手続補正９】
【補正対象書類名】明細書
【補正対象項目名】００１４
【補正方法】変更
【補正の内容】
【００１４】
又、本発明に係る楽器の運指練習具のより好ましい態様のその他は、一方の手の親指と４本の指との間に挾持した状態で縦長にして使用される楽器の運指練習具であって、丸棒状に形成された支持部と、該丸棒状の支持部と所要間隔を隔てて平行状態に配置される丸棒状の運指部とからなる本体を具え、該丸棒状の支持部と該丸棒状の運指部とは、平行状態を呈して、該丸棒状の支持部の両端側で連結部により連結されている。そして、該連結部は、前記丸棒状の支持部に固定され、且つ、前記丸棒状の運指部をその軸線回りに回転可能に保持する連結部材を有し、該回転はロック具により、９０度又は１８０度の角度ピッチ毎にロックされるようになされている。又、前記丸棒状の支持部の外面が親指当接部とされると共に、該ロック具によりロックされた前記丸棒状の運指部の外面が、前記４本の指の指先を当接させるための運指面とされ、夫々の運指面にはその長さ方向に、凹部等としての運指表示部が、楽器の被運指部に合わせて所要間隔で並設されている。又、前記丸棒状の運指部の下端に、前記丸棒状の支持部の下端の下方に延長して他方の手で把持される把持部が設けられていることを特徴とするものである。